(57)【特許請求の範囲】
【請求項１】
相互に対向する天面部及び底面部と、それらの相対する側辺同士を連設するとともに、相互に対向する第１及び第２の側面部と、両端に形成された開口部とからなり、前記開口部から内部に挿入させた電子機器を所定位置にて固定することにより、当該電子機器を収納する収納用筐体と、
前記収納用筐体に着脱自在に取り付けられることにより、当該収納用筐体の一端側の開口部を外側から覆うカバー部材と、
前記収納用筐体の所定箇所に取り付けられ、当該収納用筐体を持ち運ぶ際に使用者が握持可能なハンドル部と、
を備え、
前記天面部及び底面部が、それぞれ対面視Ｘ字状となるよう切り欠いて形成されているものであることを特徴とする電子機器用プロテクトケース。
【請求項２】
前記第１及び第２の側面部は、前記天面部及び底面部の各両端部近傍における２箇所で、それぞれ相対する側辺同士を柱状に連設するものであることを特徴とする請求項１記載の電子機器用プロテクトケース。
【請求項３】
前記収納用筐体は、前記電子機器の両側面に予め取り付けた固定部材を所定位置にて固定させることにより、当該電子機器を収納するものであることを特徴とする請求項１又は２記載の電子機器用プロテクトケース。
【請求項４】
前記カバー部材は、前記収納用筐体の一端側の開口部分において、前記天面部及び底面部の所定箇所に設けられたカバー用軸支部を介して取り付けられることにより、当該カバー用軸支部を軸として、水平方向に回動自在となっているものであることを特徴とする請求項１〜３何れか１項記載の電子機器用プロテクトケース。
【請求項５】
前記カバー部材は、側面視コ字状に形成され、その開口側の各端辺を前記天面部及び底面部の開口部側の各端辺にそれぞれ当接するよう取り付けられるものであることを特徴とする請求項１〜４何れか１項記載の電子機器用プロテクトケース。
【請求項６】
前記ハンドル部は、前記天面部に設けられた１対のハンドル用ヒンジ部を介し、１対取り付けられ、使用者が握持する際に、上方向に向けてそれぞれ起立可能となっているものであることを特徴とする請求項１〜５何れか１項記載の電子機器用プロテクトケース。
【請求項７】
天面部と、当該天面部の両側辺の所定位置において下方向に向けて相互に相対するよう立設されるとともに、その先端が、それぞれ、内方向に向けて所定長さ折り曲げて延設されてなる第１及び第２の側面部と、両端に形成された開口部とからなり、前記開口部から内部に挿入させた電子機器を所定位置にて固定することにより、当該電子機器を収納する収納用筐体と、
前記収納用筐体に着脱自在に取り付けられることにより、当該収納用筐体の一端側の開口部を外側から覆うカバー部材と、
前記収納用筐体の所定箇所に取り付けられ、当該収納用筐体を持ち運ぶ際に使用者が握持可能なハンドル部と、
を備え、
前記天面部が、対面視Ｘ字状となるよう切り欠いて形成されているものであることを特徴とする電子機器用プロテクトケース。
【請求項８】
前記第１及び第２の側面部は、前記天面部の両端部近傍における２箇所で、それぞれ柱状に立設されてなるものであることを特徴とする請求項７記載の電子機器用プロテクトケース。
【請求項９】
前記カバー部材は、側面視Ｌ字状に形成され、その一端辺が前記収納用筐体の天面部の開口部側端辺に、他端辺が、前記第１及び第２の側面部のうち、前記開口部側において取り付けられ、前記開口方向に突出したカバー固定部材の端辺に当接するよう取り付けられるものであることを特徴とする請求項７又は８記載の電子機器用プロテクトケース。
【請求項１０】
前記ハンドル部は、前記第１又は第２の側面部のうち、何れかに取り付けられたものであることを特徴とする請求項７〜９何れか１項記載の電子機器用プロテクトケース。
【発明の詳細な説明】
【技術分野】
【０００１】
本発明は、据え置き型の電子機器の単体或いは必要とされるセットを内部に収納した状態で１つのパッケージとして持ち運ぶことができ、さらに、その状態のまま、ラックマウントへの搭載や、床置き等の設置作業をも行うことができる電子機器用プロテクトケースに関するものである。
【背景技術】
【０００２】
従来、据え置き型の電子機器を運搬する際には、その電子機器に対応する専用のキャリングケースを用意する必要がある。例えば、特許文献１には、電子機器のキャリングケースにおいて、当該キャリングケースの上下の面及び少なくとも一対の側面の両方において、相対する面の一方及び他方のそれぞれの対応する位置に、互いに嵌る凸部及び凹部のそれぞれを設け、異なるキャリングケースに設けられた前記凸部及び前記凹部の嵌り込みにより、複数のキャリングケースが上下の方向及び側面の方向で積み重ねられることが可能であることを特徴とするキャリングケースが開示されている。
【０００３】
その他、例えば、特許文献２には、中空二重壁構造のケース本体と、ケース本体に対して開閉自在で中空二重壁構造の蓋体からなり、ケース本体と蓋体の内部に物品の収納部を形成してなるケースにおいて、ケース本体と蓋体の合わせ面を、その外側周縁部が互いに閉じ合いかつ内方に向かって互いに離れる湾曲形状に形成し、ケース本体と蓋体の合わせ面の内側と収納部との間に空隙部を有するように構成したことを特徴とする電子機器等のケースが開示されている。
【０００４】
また、設置作業として、電子機器をラックマウントに搭載させる際には、その電子機器に対応する専用のラックマウントシャーシを用意し、そのラックマウントシャーシに回路基板や電源を収めるといった手順が必要であった。例えば、特許文献３における図１等に開示されているように、ラックマウント装置に電子機器を搭載させる際に、電子機器を収納するディスクアレイ装置を用意し、このディスクアレイ装置を電子機器が収納された状態でラックマウント装置へ搭載するといった作業が行われている。
【先行技術文献】
【特許文献】
【０００５】
【特許文献１】特開２０１２−５６５８５号公報
【特許文献２】実開平５−３１２５号公報
【特許文献３】特開２００７−４５３８号公報
【発明の概要】
【発明が解決しようとする課題】
【０００６】
ところで、据え置き型の電子機器を持ち運ぶ場合には、特許文献１や２のように、専用のキャリングケースを用意しなければならず、また、ラックに搭載したい場合には、特許文献３のように、専用のラックマウントシャーシを用意する必要があるが、これらを別々に用意するにはコストがかかりすぎてしまうという問題が指摘されている。
【０００７】
また、コンサートやイベント会場において、据え置き型の電子機器等の各機材を設置する際には、キャリングケースに各機材を収納して会場まで運送し、現場でキャリングケースから機材を取り出して、それらをバラバラに持ち運び、設営していたため、その作業にかなりの時間を要していた。また、小規模なイベント会場等の場合、スペースが確保できないため、運搬から設営に至る作業が非常にやりにくいという問題も指摘されていた。
【０００８】
本発明は、上述の課題を解決するためのもので、剛性と軽量化を保ちつつ、電子機器の製品シリーズのいかなる組み合わせでも１パッケージとして安全に運送、或いは、現場での持ち運びが行えるとともに、電子機器等を収納したまま、机上や路上（床）への設置、或いは、ラックへの搭載をも可能とする多様なシーンで用いることができる電子機器用プロテクトケースを提供することにある。
【課題を解決するための手段】
【０００９】
上述の課題に対応するため、本発明は、以下の技術的手段を講じている。
即ち、請求項１記載の発明は、相互に対向する天面部及び底面部と、それらの相対する側辺同士を連設するとともに、相互に対向する第１及び第２の側面部と、両端に形成された開口部とからなり、前記開口部から内部に挿入させた電子機器を所定位置にて固定することにより、当該電子機器を収納する収納用筐体と、前記収納用筐体に着脱自在に取り付けられることにより、当該収納用筐体の一端側の開口部を外側から覆うカバー部材と、前記収納用筐体の所定箇所に取り付けられ、当該収納用筐体を持ち運ぶ際に使用者が握持可能なハンドル部とを備え、前記天面部及び底面部が、それぞれ対面視Ｘ字状となるよう切り欠いて形成されているものであることを特徴とする電子機器用プロテクトケースである。
【００１０】
また、請求項２記載の発明は、請求項１記載の電子機器用プロテクトケースであって、前記第１及び第２の側面部は、前記天面部及び底面部の各両端部近傍における２箇所で、それぞれ相対する側辺同士を柱状に連設するものであることを特徴としている。さらに、請求項３記載の発明は、請求項１又は２記載の電子機器用プロテクトケースであって、前記収納用筐体は、前記電子機器の両側面に予め取り付けた固定部材を所定位置にて固定させることにより、当該電子機器を収納するものであることを特徴としている。
【００１１】
そして、請求項４記載の発明は、請求項１〜３何れか１項記載の電子機器用プロテクトケースであって、前記カバー部材は、前記収納用筐体の一端側の開口部分において、前記天面部及び底面部の所定箇所に設けられたカバー用軸支部を介して取り付けられることにより、当該カバー用軸支部を軸として、水平方向に回動自在となっているものであることを特徴としている。
【００１２】
また、請求項５記載の発明は、請求項１〜４何れか１項記載の電子機器用プロテクトケースであって、前記カバー部材は、側面視コ字状に形成され、その開口側の各端辺を前記天面部及び底面部の開口部側の各端辺にそれぞれ当接するよう取り付けられるものであることを特徴としている。また、請求項６記載の発明は、請求項１〜５何れか１項記載の電子機器用プロテクトケースであって、前記ハンドル部は、前記天面部に設けられた１対のハンドル用ヒンジ部を介し、１対取り付けられ、使用者が握持する際に、上方向に向けてそれぞれ起立可能となっているものであることを特徴としている。
【００１３】
またさらに、請求項７記載の発明は、天面部と、当該天面部の両側辺の所定位置において下方向に向けて相互に相対するよう柱状に立設されるとともに、その先端が、それぞれ、内方向に向けて所定長さ折り曲げて延設されてなる第１及び第２の側面部と、両端に形成された開口部とからなり、前記開口部から内部に挿入させた電子機器を所定位置にて固定することにより、当該電子機器を収納する収納用筐体と、前記収納用筐体に着脱自在に取り付けられることにより、当該収納用筐体の一端側の開口部を外側から覆うカバー部材と、前記収納用筐体の所定箇所に取り付けられ、当該収納用筐体を持ち運ぶ際に使用者が握持可能なハンドル部とを備え、前記天面部が、対面視Ｘ字状となるよう切り欠いて形成されているものであることを特徴とする電子機器用プロテクトケースである。
【００１４】
そして、請求項８記載の発明は、請求項７記載の電子機器用プロテクトケースであって、前記第１及び第２の側面部は、前記天面部の両端部近傍における２箇所で、それぞれ立設されてなるものであることを特徴としている。さらに、請求項９記載の発明は、請求項７又は８記載の電子機器用プロテクトケースであって、前記カバー部材は、側面視Ｌ字状に形成され、その一端辺が前記収納用筐体の天面部の開口部側端辺に、他端辺が、前記第１及び第２の側面部のうち、前記開口部側において取り付けられ、前記開口方向に突出したカバー固定部材の端辺に当接するよう取り付けられるものであることを特徴としている。
【００１５】
さらに、請求項１０記載の発明は、請求項７〜９何れか１項記載の電子機器用プロテクトケースであって、前記ハンドル部は、前記第１又は第２の側面部のうち、何れかに取り付けられたものであることを特徴としている。
【発明の効果】
【００１６】
本発明によれば、剛性と軽量化を保ちつつ、電子機器の製品シリーズのいかなる組み合わせでも１パッケージとして安全に運送、或いは、現場での持ち運びが行えるとともに、電子機器等を収納したまま、机上や路上（床）への設置、或いは、ラックへの搭載をも可能とする多様なシーンで用いることができるため、据え置き型の電子機器等を用いての作業全般がしやすく、また、製造コストの削減にも繋がる。
【図面の簡単な説明】
【００１７】
【図１】本発明に係る電子機器用プロテクトケースの第１の実施形態について示した図で、（ａ）は天面図、（ｂ）は底面図を表している。
【図２】本発明に係る電子機器用プロテクトケースの第１の実施形態について示した図で、（ａ）は左側面図、（ｂ）は右側面図を表している。
【図３】本発明に係る電子機器用プロテクトケースの第１の実施形態において、カバー部材を開き、ハンドル部を起立させた状態示した斜視図である。
【図４】本発明に係る電子機器用プロテクトケースの第１の実施形態において、電子機器を内部に固定させた状態を示した図で、（ａ）は天面側からの斜視図、（ｂ）は底面側からの斜視図を表している。
【図５】本発明に係る電子機器用プロテクトケースの第２の実施形態について示した図で、（ａ）は底面図、（ｂ）は天面図を表している。
【図６】本発明に係る電子機器用プロテクトケースの第２の実施形態について示した図で、（ａ）は左側面図、（ｂ）は右側面図を表している。
【図７】本発明に係る電子機器用プロテクトケースの第２の実施形態において、電子機器を内部に固定させた状態を示した図で、（ａ）は天面側からの斜視図、（ｂ）は底面側からの斜視図を表している。
【図８】本発明に係る電子機器用プロテクトケースの第２の実施形態において、カバー部材を外す流れを示した概略図（右側面図）である。
【図９】本発明に係る電子機器用プロテクトケースの第１及び２の実施形態において、電子機器を内部に固定させた状態を示した比較図で、（ａ）は第１の実施形態における右側面図、（ｂ）は第２の実施形態における右側面図である。
【図１０】本発明に係る電子機器用プロテクトケースの第１の実施形態において、電子機器を内部に挿入させて収納する流れを示した斜視概略図である。
【図１１】本発明に係る電子機器用プロテクトケースの第２の実施形態において、電子機器を内部に挿入させて収納する流れを示した右側面概略図である。
【図１２】本発明に係る電子機器用プロテクトケースの第２の実施形態において、電子機器を収納した状態で電子機器用プロテクトケースを設置する際の形態を示した概略図で、（ａ）は載せ台への設置、（ｂ）はラックマウントへの搭載、（ｃ）はラックマウントケースへの搭載を表したものである。
【発明を実施するための形態】
【００１８】
本発明に係る電子機器用プロテクトケースの第１の実施形態について、図面を参照しながら説明する。図１は、本発明に係る電子機器用プロテクトケースの第１の実施形態について示した図で、（ａ）は天面図、（ｂ）は底面図を表し、図２は、本発明に係る電子機器用プロテクトケースの第１の実施形態について示した図で、（ａ）は左側面図、（ｂ）は右側面図を表している。また、図３は、本発明に係る電子機器用プロテクトケースの第１の実施形態において、カバー部材を開き、ハンドル部を起立させた状態示した斜視図である。
【００１９】
さらに、図４は、本発明に係る電子機器用プロテクトケースの第１の実施形態において、電子機器を内部に固定させた状態を示した図で、（ａ）は天面側からの斜視図、（ｂ）は底面側からの斜視図を表している。なお、符号については、１０は電子機器用プロテクトケース、１２は天面部、１４は底面部、１６は第１の側面部、１８は第２の側面部、２０は開口部、２２は収納用筐体、２４はカバー部材、２６はハンドル部、２８はスライド部材、３０はカバー用軸支部、３２はハンドル用ヒンジ部、Ｄは電子機器を示している。
【００２０】
まず、本実施形態における電子機器用プロテクトケース１０は、図１及び２に示すように、収納用筐体２２と、カバー部材２４と、ハンドル部２６を備えている。そして、収納用筐体２２は、相互に対向する天面部１２及び底面部１４と、それらの相対する側辺同士を連設するとともに、相互に対向する第１の側面部１６と、第２の側面部１８と、両端に形成された開口部２０とから構成されており、図４に示すように、開口部２０から挿入させた電子機器Ｄを内部に収納することができるようになっている。なお、電子機器Ｄは、図３等に示す収納用筐体２２の内部に取り付けられたスライド部材２８上を滑らせることにより、内部へスムースに挿入できるようになっている。また、スライド部材２８の電子機器Ｄとの接触面には、ＡＢＳ樹脂加工を施しておくと、電子機器Ｄの外面へのキズ防止等に繋がる。
【００２１】
さらに、天面部１２と底面部１４は、図１（ａ）、（ｂ）等に示すように、対面視Ｘ字状となるよう所定箇所が切り欠いて形成されている。このように、Ｘ字状に形成したものを用いることで、電子機器用プロテクトケース１０全体の軽量化を図ることができ、また、外部からの衝撃による圧力をうまく分散させることができるわけである。
【００２２】
続いて、第１の側面部１６と、第２の側面部１８は、図２（ａ）、（ｂ）に示すように、天面部１２及び底面部１４の各両端部分近傍における２箇所で、これらを柱状に連設するように構成されている。このように、各側面部に間隙を作ることで、電子機器用プロテクトケース１０全体の軽量化を図るという目的と、図３に示すように、電子機器Ｄを収納して動作させる際に発生する熱を持ったエアをうまく外部へと逃がす（ファン等により）という目的が達成される。また、第１の側面部１６と、第２の側面部１８は、それぞれ、中間部分が内側に向け屈曲した柱状となっているが、このような形状とすることで、低重心化が図れ、さらに、外部からの圧力を吸収しやすくなっている。
【００２３】
次に、カバー部材２４は、収納用筐体２２の一端側の開口部２０を外部から覆うもので、図３に示すように、天面部１２と、底面部１４の開口部２０近傍の上下において設けられたカバー用軸支部３０を介して取り付けられている。このような構成となっているため、カバー用軸支部３０を軸として、カバー部材２４を水平方向に自在に回動させることができるため、開口部２０をカバー部材２４によって閉じる／開ける、といった動作を簡単に行うことができるわけである。
【００２４】
また、本実施形態では、カバー部材２４は、図２（ａ）、（ｂ）に示すように、側面視コ字状に形成されていて、開口部２０を閉じると、開口している側の各端辺（図３に示す上端辺ａ、下端辺ｂ）が、天面部１２と底面部１４の開口部２０側の各端辺にそれぞれ当接するように取り付けられるものである。
【００２５】
続いて、本実施形態では、ハンドル部２６は、図１に示すように、天面部１２のうち、切り欠いたＸ字状の交点部分の両側面側に設けられた左右１対のハンドル用ヒンジ部３２にそれぞれ１対取り付けられており、電子機器用プロテクトケース１０を持ち運ぶ際には、図３に示すように、上方向に向けてそれぞれ起立させ、それを使用者が握持することにより、安定して持ち運ぶことができるようになっている。
【００２６】
続いて、本発明に係る電子機器用プロテクトケースの第２の実施形態について、図面を参照しながら説明する。図５は、本発明に係る電子機器用プロテクトケースの第２の実施形態について示した図で、（ａ）は底面図、（ｂ）は天面図を表し、図６は、本発明に係る電子機器用プロテクトケースの第２の実施形態について示した図で、（ａ）は左側面図、（ｂ）は右側面図を表している。また、図７は、本発明に係る電子機器用プロテクトケースの第２の実施形態において、電子機器を内部に固定させた状態を示した図で、（ａ）は天面側からの斜視図、（ｂ）は底面側からの斜視図を表している。
【００２７】
さらに、図８は、本発明に係る電子機器用プロテクトケースの第２の実施形態において、カバー部材を外す流れを示した概略図（右側面図）である。また、図９は、本発明に係る電子機器用プロテクトケースの第１及び２の実施形態において、電子機器を内部に固定させた状態を示した比較図で、（ａ）は第１の実施形態における右側面図、（ｂ）は第２の実施形態における右側面図である。
【００２８】
そして、図１０は、本発明に係る電子機器用プロテクトケースの第１の実施形態において、電子機器を内部に挿入させて収納する流れを示した斜視概略図である。また、図１１は、本発明に係る電子機器用プロテクトケースの第２の実施形態において、電子機器を内部に挿入させて収納する流れを示した右側面概略図である。そして、図１２は、本発明に係る電子機器用プロテクトケースの第２の実施形態において、電子機器を収納した状態で電子機器用プロテクトケースを設置する際の形態を示した概略図で、（ａ）は載せ台への設置、（ｂ）はラックマウントへの搭載、（ｃ）はラックマウントケースへの搭載を表したものである。
【００２９】
なお、符号については、３４が延設部、３６がカバー固定部材、３８がカバー用留め具、４０がネジ部材、４２がネジ孔、４３が固定部材、４４が載せ台、４６がラックマウント、４８がラックマウント固定部材、５０がラックマウントケースを示す以外は、第１の実施形態において用いたものと同じである。
【００３０】
まず、まず、本実施形態における電子機器用プロテクトケース１０は、図５及び６に示すように、収納用筐体２２と、カバー部材２４と、ハンドル部２６を備えている。そして、収納用筐体２２は、天面部１２と、この天面部１２の両側辺の所定位置において下方向（底方向）に向けて相互に相対するよう立設されるとともに、その先端が、それぞれ内方向（本実施形態では、相対する方向）に向けて、所定の長さ折り曲げてなる（延設部３４）第１の側面部１６と、第２の側面部１８と、両端に形成された開口部２０とから構成されており、図７に示すように、開口部２０から挿入させた電子機器Ｄを内部に収納することができるようになっている。
【００３１】
さらに、天面部１２は、図５（ａ）等に示すように、対面視Ｘ字状となるよう所定箇所が切り欠いて形成されている。このように、Ｘ字状に形成したものを用いることで、電子機器用プロテクトケース１０全体の軽量化を図ることができ、また、外部からの衝撃による圧力をうまく分散させることができるわけである。なお、本実施形態では、第１の実施形態のように底面部１４が存在しないが、収納した電子機器の底面が、この底面部１４の代用となり、強度が保たれる。
【００３２】
続いて、第１の側面部１６と、第２の側面部１８は、図６（ａ）、（ｂ）に示すように、天面部１２の各両端部分近傍における２箇所で、それぞれ柱状に立設するように構成されている。このように、各側面部に間隙を作ることで、電子機器用プロテクトケース１０全体の軽量化を図るという目的と、図７に示すように、電子機器Ｄを収納して動作させる際に発生する熱を持ったエアをうまく外部へと逃がす（ファン等により）という目的が達成される。また、第１の側面部１６と、第２の側面部１８は、それぞれ、中間部分が内側に向け屈曲した柱状となっているが、このような形状とすることで、低重心化が図れ、さらに、外部からの圧力を吸収しやすくなっている。なお、第１の実施形態に比べ、本実施形態における第１の側面部１６と第２の側面部１８は、より深く屈曲させた形状としている。そのため、第１の実施形態よりも、低重心化が際だつことになる。
【００３３】
次に、カバー部材２４は、収納用筐体２２の一端側の開口部２０を外部から覆うもので、図６（ａ）、（ｂ）及び図８に示すように、天面部１２の開口部２０近傍と、第１の側面部１６と第２の側面部１８のうち、開口部２０側においてそれぞれ取り付けられた開口方向に突出したカバー固定部材３６にカバー用留め具３８を用いてそれぞれ固定されている。このような構成となっているため、図８に示すように、カバー用留め具３８の加減（ゆるめる、取り外す）により、カバー部材２４を自在に固定或いは取り外しすることができ、開口部２０をカバー部材２４によって閉じる／開ける、といった動作を簡単に行うことができるわけである。また、カバー用留め具３８によりしっかりと固定させるため、電子機器用プロテクトケース１０を持ち運んでいる際に、開口部２０が開いてしまうといったトラブルを防ぐことが可能となっている。
【００３４】
また、本実施形態では、カバー部材２４は、図６（ａ）、（ｂ）に示すように、側面視Ｌ字状に形成されていて、開口部２０を閉じると、各端辺（図８に示す上端辺ａ、下端辺ｂ）が、天面部１２の開口部２０側の端辺と、カバー固定部材３６の端辺にそれぞれ当接するように取り付けられるものである。
【００３５】
続いて、本実施形態では、ハンドル部２６は、図５、図６等に示すように、第１の側面部１６に取り付けられてなるもので、第１の側面部１６の間隙を橋渡しするような構成となっている。そして、電子機器用プロテクトケース１０を持ち運ぶ際には、ハンドル部２６を使用者が握持することにより、安定して持ち運ぶことができるようになっている。
【００３６】
次に、本発明に係る電子機器用プロテクトケースの第１の実施形態と、第２の実施形態について比較をしていく。まず、図９（ａ）は、第１の実施形態における電子機器用プロテクトケース１０に電子機器Ｄを収納した状態を示した右側面図で、（ｂ）は第２の実施形態における電子機器用プロテクトケース１０に電子機器Ｄを収納した状態を示した右側面図である。なお、参考寸法は、Ｌ１が１４１ｍｍ、Ｌ２が３６０ｍｍ、Ｌ３が１３０ｍｍ、Ｌ４が３７８ｍｍである。
【００３７】
第１の実施形態における電子機器用プロテクトケース１０（以下、ケース１とする。）は、電子機器Ｄを収納した際に、電子機器Ｄのスイッチ側の面と、カバー部材２４との間が狭くなってしまっているのに対し、第２の実施形態における電子機器用プロテクトケース１０（以下、ケース２とする。）は、カバー固定部材３６を備えているため、カバー部材２４と電子機器Ｄのスイッチ側の面との間が、ある程度確保されている。従って、カバー部材２４を外さなくても、電子機器Ｄのスイッチを操作することができるという点で、ケース２の方が有効なものとして用いることが可能である。
【００３８】
また、ケース１は、カバー部材２４が、カバー用軸支部３０を軸として、水平方向に自在に回動できるようになっているため（図３参照）、運搬時にカバー部材２４が開いてしまうトラブルが生じる可能性があるが、ケース２は、カバー部材２４を天面部１２と、カバー固定部材３６にカバー用留め具３８を用いて固定するため（図７等参照）、そのようなトラブルが生じないというメリットがある。なお、カバー用留め具３８は、工具を用いずとも容易に取り外せるものを用いるのが好ましい。
【００３９】
続いて、ケース１は、電子機器Ｄを収納する際には、予め電子機器Ｄの両側面に取り付けた固定部材４３を用いて固定させるが（図１０参照）、電子機器Ｄのサイズや組み合わせにより、交換しなくてはならず、作業が繁雑であるのに対し、ケース２は、第１の側面部１６、第２の側面部１８に直接固定する（ネジ部材４０、ネジ孔４２を用いて）構成となっているため（図１１参照）、ケース１の固定部材４３に相当するものが不要で、作業が楽になる。また、ケース２の内面に、摩擦係数の少ない樹脂等を緩衝部材として取り付けておくことで、電子機器Ｄの表面に生じてしまうキズを大幅に削減できるようになる。
【００４０】
次に、図９に示すように、ケース１は、ケース２に比較して、底面部１４等存在することから、高さ方向がどうしても高くなってしまう（Ｌ１＞Ｌ３）。そのため、狭い規格のラックマウントへの搭載は難しいのに対し、ケース２は、底面部１４が存在しないため、ダウンサイズ化が図られ、狭い規格のラックマウントでも搭載が可能となっている。
【００４１】
なお、ケース２は、図１２に示すように、（ａ）の載せ台４４への搭載に限らず、（ｂ）のラックマウント４６や、（ｃ）のラックマウントケース５０への搭載も可能となっている。そして、ケース２を２台連結した状態でラックマウント４６への搭載を行う際には、ラックマウント固定部材４８により、ケース２をラックマウント内に固定するようにする。ケース２同士の連結は、図示しない部材を用いて相互に固定連結させるようにする。
【００４２】
ところで、ケース部材２４は、アクリル部材が用いられるが、これを透過して電子機器Ｄを覗いた際に、歪んで見えないようにするため、ヒューマエルゴノミクスの基本数値を採用し、表示判読距離と視線入射角より、歪みが発生する範囲の最適化数値を割り出し、その数値に沿って、例えば、ケース２のように、カバー固定部材３６の長さと、カバー部材２４の形状を調整することが非常に好ましい。
【００４３】
また、ケース１は、カバー部材２４が、底面部１４側にまで及んでおり、さらに、天面部１２に取り付けられたハンドル部２６を握持し、持ち上げる動作の過程で、電子機器Ｄの組み合わせで重心ポイントが変位するため、底面部１４側の部分にキズが生じてしまう可能性がある。一方、ケース２は、カバー部材２４が底面側にまで及んでいないことから床面で擦れることがなく、さらに、ハンドル部２６を第１の側面部１６に取り付け、使用者の動作を設計的にコントロールしているため、たとえ、電子機器Ｄの組み合わせで重心ポイントが変位しても、カバー部材２４にキズが生じる可能性が低くなるというメリットがある。
【００４４】
続いて、ケース１は、ハンドル部２６が、天面部１２のうち、切り欠いたＸ字状の交点部分の両側面側に設けられた左右１対のハンドル用ヒンジ部３２にそれぞれ１対取り付けられており、このハンドル部２６を両方とも上方向に起立させ、使用者が握持ことで、ケース１を持ち運びやすくしている。これに対し、ケース２は、ハンドル部２６を第１の側面部１６に取り付けている。そのような構成にすることで、ケース２の運搬時の振動等が抑えられることは勿論、ケース１のように天面部１２にハンドル部２６を取り付けるよりも製造コストが抑えられるというメリットがある。また、ケース２の場合、電子機器を収納した状態から持ち運ぶ際には、通常使用者は左手によりハンドル部２６を握持する傾向にあるが、左手で持ち上げると、天面部１２側が使用者の外側に向くため、外部の衝撃等から電子機器を保護しやすいというメリットもある。
【００４５】
次に、ケース１及びケース２による電子機器の収納について比較していく。まず、ケース１は、図１０に示すように、使用する電子機器Ｄの両側面に予め専用の固定部材４３を装着させておき、続いて、使用者が電子機器Ｄを持ち上げて浮かせた状態で、電子機器用プロテクトケース１０の開口部２０から挿入し、さらに、電子機器Ｄをスライド部材２８上にて矢印の方向へスライドさせていく。
【００４６】
その後、固定部材４３のネジ孔４２と、電子機器用プロテクトケースのネジ孔４２とを合わせ、ネジ部材４０にて相互に締めて固定させることで、電子機器の収納が完了する。なお、図１０に示すように、電子機器Ｄは２段重ねとなっているが、このような場合、下段の電子機器Ｄの上面に、上段の電子機器Ｄのゴム足の位置に合わせて窪みを設けておき、その窪みに上段の電子機器Ｄのゴム足を合わせて積み重ねるようにすると、上段と下段の電子機器Ｄに取り付けた固定部材４３の相対位置をうまく合わせることができるようにしておくのが作業上好ましい。
【００４７】
一方、ケース２は、図１１に示すように、電子機器Ｄをテーブル等に置いたまま、電子機器用プロテクトケース１０を矢印の方向にスライドさせて、電子機器Ｄを挿入する。なお、このように電子機器Ｄを持ち上げて浮かせる必要がないのは、ケース２には、底面部１６が存在しないためである。挿入後は、電子機器Ｄのネジ孔４２を電子機器用プロテクトケース１０のネジ孔４２を合わせ、ネジ部材４０により相互に締めて固定させることで、電子機器Ｄの収納が完了する。
【００４８】
なお、ケース１の収納作業は、概ね２０分程度の時間を要するが、ケース２の収納作業は、３分程度の時間で終了させることが可能である。また、ケース２は、ケース１のように必要な部品数を大幅に削減することが可能であるため、製造コストの削減にも繋がる。その他、ケース１は、図３等にあるように、各部品（例えば、天面部１２、底面部１４等々）をそれぞれ相互に取り付ける面合成の機械加工が施されているが、ケース２は、図５等にあるように、基本は、１つの部材を折り曲げて加工する板金加工が施されているため、ケース１に比べ、部品数が大幅に削減されるため、製造コストという面で大きなメリットとなっている。
【産業上の利用可能性】
【００４９】
本発明に係る電子機器用プロテクトケースによれば、剛性と軽量化を保ちつつ、電子機器の製品シリーズのいかなる組み合わせでも１パッケージとして安全に運送、或いは、現場での持ち運びが行えるとともに、電子機器等を収納したまま、机上や路上（床）への設置、或いは、ラックへの搭載をも可能とする多様なシーンで用いることができるため、据え置き型の電子機器等を用いての作業全般を行う際に極めて有用である。
【符号の説明】
【００５０】
１０  電子機器用プロテクトケース
１２  天面部
１４  底面部
１６  第１の側面部
１８  第２の側面部
２０  開口部
２２  収納用筐体
２４  カバー部材
２６  ハンドル部
２８  スライド部材
３０  カバー用軸支部
３２  ハンドル用ヒンジ部
３４  延設部
３６  カバー固定部材
３８  カバー用留め具
４０  ネジ部材
４２  ネジ孔
４３  固定部材
４４  載せ台
４６  ラックマウント
４８  ラックマウント固定部材
５０  ラックマウントケース
Ｄ  電子機器
【図１】
0006382035.tif 000002
【図２】
0006382035.tif 000003
【図３】
0006382035.tif 000004
【図４】
0006382035.tif 000005
【図５】
0006382035.tif 000006
【図６】
0006382035.tif 000007
【図７】
0006382035.tif 000008
【図８】
0006382035.tif 000009
【図９】
0006382035.tif 000010
【図１０】
0006382035.tif 000011
【図１１】
0006382035.tif 000012
【図１２】
0006382035.tif 000013